(57)【要約】      （修正有）【課題】水流を受けて噴水のような造形を得ることができる指輪を提供する。【解決手段】指に嵌めるためのリング体１０と、リング体に接続された反射体２０とを備え、反射体は流水を受けることにより流水を反射させ、反射された流水が予め定められた造形になるように反射体が構成されていて、反射体が凹面板２１と凹面板からの突起２２とを有し、少なくとも一部の突起がプリズム状であり、凹面板の縁部分に鋭角の角部２３が存在することを特徴とする。【選択図】図１
0003195892.tif 000002
【実用新案登録請求の範囲】
【請求項１】
指に嵌めるためのリング体と、リング体に接続された反射体とを備え、反射体は流水を受けることにより前記流水を反射させ、反射された流水が予め定められた造形になるように反射体が構成されている、指輪。
【請求項２】
反射体が凹面板と凹面板からの突起とを有する請求項１記載の指輪。
【請求項３】
少なくとも一部の突起がプリズム状である請求項２記載の指輪。
【請求項４】
凹面板の縁部分に鋭角の角部が存在する請求項２又は３記載の指輪。
【考案の詳細な説明】
【技術分野】
【０００１】
本考案は指輪、特に、水流を受けて噴水のような造形を得ることができる指輪に関する。
【背景技術】
【０００２】
古代ローマでは都市の上水道を完備した証に街に噴水が作られた。古来、噴水とは西洋式の富と豊かさの象徴であった。しかし現代において、電力や水の節約が重要であるという意識が高まっている。世界的に見ても飲料となる淡水資源は貴重であり、エンターテイメントを目的として水を大量に使用する噴水は水の無駄遣いであると認識されることがある。
【０００３】
また、従来の公園やロータリーに設けられた噴水は、複数のノズルから水を噴出させ飛沫を生成するものが主流である。風が吹くと噴水の形状は崩れて水が四方に飛び散り周囲が濡れる。複雑な形状を作り出す噴水については、ノズルの清掃とプール内のレジオネラ菌の繁殖防止のメンテナンスが欠かせない。
【考案の概要】
【考案が解決しようとする課題】
【０００４】
上記とは別に、家庭用に卓上で噴水を生成する装置が普及している。室内で噴水を楽しむには噴水を生成するノズルの他に、水を貯める容器、電力、循環ポンプが必要である。室内での噴水を生成する装置は、噴水を稼動しないときは通常は無意味である。これらを鑑みて、本考案は、家庭などにおいていつでも簡易に噴水に似た水の造形を得ることができる仕組みを提供することを課題とする。
【課題を解決するための手段】
【０００５】
本考案者は鋭意工夫の結果、「指輪」という物品を介して上記課題解決を図り、本考案を完成した。
本考案によれば、指輪は、指に嵌めるためのリング体と、リング体に接続された反射体とを備える。反射体は流水を受けることにより前記流水を反射させるように構成されている。その際に、反射された流水が予め定められた造形になるように構成されている。
好ましくは、反射体が凹面板と凹面板からの突起とを有する。特に好ましくは、少なくとも一部の突起はプリズム状である。別途、好ましくは、凹面板の縁部分に鋭角の角部が存在する。
【考案の効果】
【０００６】
本考案によれば、噴水の「ノズル」に相当する部材（即ち、反射体）を指輪と一体化し、アクセサリーとして持ち歩くことができる。本考案の指輪を身につけた人は、電力と循環ポンプを使用する代わりに、上水道のインフラを用いて噴水のような水の造形を生成することができる。家庭内の台所や浴室や外出先のトイレの蛇口の下に手を差し出し、手を洗う際についでにシンクで噴水を楽しむことができる。
【０００７】
本考案によれば、上水道から供出される水流を用いて短時間に、水流を花や蝶などといった予め定めた造形をかたちづくり、それを噴水に見立てて、人間と動植物の共存に思いをはせ、地球環境の持続可能性を目指すことができる。本考案の指輪に備えられた反射体は、「噴水ノズル」として作用して、これからは一個人が水の造形（噴水）をいつでもどこでも生成できるようになる。好適態様によれば、反射体は凹面板と突起とで構成されており、拭くことで容易に掃除が完了する。アクセサリーとして磨くことにより、使用者は噴水のノズルに愛着を持つであろう。
【図面の簡単な説明】
【０００８】
【図１】本考案の指輪の一例の模式斜視図である。
【図２】本考案の指輪の使用態様の模式図である。
【図３】本考案の指輪の一例の模式斜視図である。
【図４】本考案の指輪の使用態様の模式図である。
【図５】本考案の指輪の使用態様の模式図である。
【図６】本考案の指輪の使用の一例を示す。
【図７】反射体の形状と得られる水の造形の種々の例を示す。
【考案を実施するための形態】
【０００９】
図面を適宜参照しながら本考案を詳述する。但し、本考案は図示された態様に限定されるわけでなく、また、図面においては考案の特徴的な部分を強調して表現することがあるので、図面各部において縮尺の正確性は必ずしも担保されていない。
【００１０】
本考案によれば、指輪は、指に嵌めるためのリング体と、リング体に接続された反射体とを備える。
【００１１】
本考案の指輪は、通常は指輪として指に嵌められ、流水が利用できる状況では、その流水を反射体に当てて、反射した水がかたちづくる造形を楽しむことができる。利用できる流水としては、例えば水道の蛇口からの流水などが挙げられる。
【００１２】
図１は、本考案にかかる指輪の一例の斜視図である。
リング体１０は、指に嵌めるよう意図された部分である。リング体１０の具体的な構造は指輪に関する従来技術を適宜参照することができ、通常は環状体であり、環状体の一部を欠いていたりいていてもよい。
【００１３】
リング体１０は銀などの金属から構成されていてもよいし、他の材質からなるものであってもよい。リング体１０には装飾的な模様などが彫られていてもよいし、宝石類がちりばめられていてもよい。
【００１４】
反射体２０はリング体１０に接続されている。リング体１０と反射体２０とが一体的に成形されていてもよいし、リング体１０に反射体２０が溶接その他の手段で結合されていてもよい。反射体２０の位置は特に限定は無く、例えば、指輪を嵌めた状態で手の甲側に反射体２０が向くように接続されていてもよい。
【００１５】
反射体２０は、水流を受けると、その水流れを分散、屈曲等させることにより、水の膜が予め定めた造形になるように構成されている。
【００１６】
反射体２０には好ましくは凹面板２１が備えられる。凹面板２１は、主として、落下する流水を張りのある透明な水膜に変えることができる。凹面板２１の曲率半径などは適宜設定することができる。
【００１７】
凹面板２１には好ましくは突起２２が設けられる。典型的には、突起２２は凹面板２１の板面に対してほぼ垂直に突出している。突起２２の存在により水流を分割することができる。それ故、突起２２は得られる水の造形をコントロールする要素になり得る。凹面板２１からの突起２２の高さは特に限定は無く、好適には５〜３０ｍｍである。
【００１８】
本考案では、突起２２は複数存在していてもよく、それらの突起２２の全部または一部は好ましくはプリズム状である。プリズム状は好ましくは三角柱状であり、三角柱の底面が凹面板２１に接するように設けられることが好ましい。三角柱における三角形の頂点部分において水流を二分することができ、得られる水の造形においては、水膜を左右に分割する要素になり得る。
【００１９】
プリズム状の突起２２を距離を空けて２つ以上並べることにより、それらにより挟まれた部分において、直線状の水流をかたちづくることも可能である。
【００２０】
凹面板２１の縁部には好ましくは鋭角の角部２３が存在する。鋭角の角部２３は、水膜をすぐには分割しないが、落水地点から離れた地点で水膜を分割する役目を果たす。
【００２１】
好適には、指輪における反射体２０は、凹面板２１とプリズム状の突起２２と凹面板２１における鋭角の角部２３とを有する。凹面板２１によって造形の基本となる水の膜が形成され、プリズム状の突起２２によって水流を分割したり、プリズム状の突起２２を複数並べて線状の水流をかたちづくったり、鋭角の角部２３によって反射体１０から一定の距離を置いて水流を分割させたりすることができ、これらを組み合わせることによって、蝶、桜、クモ、星形に見える水膜を生成することが可能になる。指輪を身につけた人は、蛇口からの距離と水量を自分で調整しながら自ら最良の造形を作り出す。
【００２２】
指輪の材質については、従来技術を適宜参照することができ、各種金属や樹脂材料などを特に限定無く用いることができる。指輪のリング体と反射体とで異なる材料を用いてもよい。リング体と反射体とは着脱可能に構成されていてもよい。指輪の製造方法についても、従来技術を適宜参照することができ、樹脂の一体成形や、金属の鋳造や鍛造などの技術を適宜採り入れることができる。
【００２３】
図２は、本考案の指輪の使用態様の模式図である。
リング体１０を指（図示せず）に嵌め、凹面板２１が水流３０に当たるように向ける。凹面板２１に当たった水流３０は水膜３１を形成して指輪の外部に広がる。プリズム状の突起２２では水流が分断され、この図の態様では、３つ並んだプリズム状の突起２２によって、２本の直線状の水流３２が形成され、これを蝶の触覚に見立てることができる。凹面板２１には鋭角の角部２３が存在し、この角部２３の近傍では水膜の分断は生じないが、距離を置いて分断が生じ、水膜の分割部３３が生成し、全体として、蝶の造形が水膜によって形成される。
【００２４】
水流３０としては、例えば、手洗い場などにおける水道の蛇口からの水流などが挙げられる。水の無駄遣いを防ぐため、５００ｃｃの水を落下させ５秒間程度、水の造形を楽しむことができる装置を新たに製造してもよい。
【００２５】
図３は、本考案の指輪の一例の模式斜視図である。図４は、図３に示される指輪の使用態様の模式図である。
指輪にはリング体１０とリング体１０に接続した反射体が存在する。反射体は、凹面板２１、プリズム状の突起２２及び凹面板２１の縁部に形成された鋭角の角部２３から構成される。水道の蛇口などから得られる水流３０を凹面板２１で受けると、水が反射して水膜３１が形成する。プリズム状の突起２２が存在するところでは、水膜が直ちに分割されて、水膜３１による花びらのような造形が得られる。鋭角の角部２３の近傍では水膜３１は分割しないが、距離を置いて水膜に分割部３３が生成し、花びらの形状に高度なリアリティを付加している。
【００２６】
図５は、本考案の指輪の使用態様の模式図である。図５（Ａ）に示される態様では、図２に示した蝶の造形が得られる指輪の使用例を示す。水道の蛇口などから得られる水流３０が指輪の反射体２０によって反射されて水膜３１や直線状の水流３２を形成し、あたかも手の上に水でできた蝶が止まっているかのような造形が得られる。
【００２７】
図５（Ｂ）に示される態様では、図４に示した桜花の造形が得られる指輪の使用例を示す。水道の蛇口などから得られる水流３０が指輪の反射体２０によって反射されて花びらのように分断された水膜３１を形成し、あたかも手の上に水でできた桜花が生成しているかのような造形が得られる。
【実施例】
【００２８】
以下、本考案の具体的な実施例を挙げる。本考案は以下の実施例に限定されるものではない。
【００２９】
図６は、本考案の指輪の使用の一例を示す。リング体（図示せず）を指に嵌めて、反射体が手の甲側に現れている。水道の蛇口からの水流を受けて、凹面板が水の膜を形成し、紙面上方にある２つのプリズム状の突起によって直線状の水流が形成して蝶の触覚の造形が成されている。凹面板の縁部にある鋭角の角部により水流が所定の距離を置いて分断されていて、それによって蝶の羽がかたちづくられている。以上のように、この実施例では、蝶の造形が水の膜でかたちづくられている。
【００３０】
図７は、反射体の形状と得られる水の造形の種々の例を示す。図７（Ａ）〜（Ｅ）は、反射体の種々の形状である（突起の描写を省略している）。図７（Ｆ）〜（Ｊ）は、図７（Ａ）〜（Ｅ）のそれぞれの反射体から得られる水の造形を示す。具体的には、図７（Ａ）の形状の反射体からは図７（Ｆ）のような蝶の造形が得られ、図７（Ｂ）の形状の反射体からは図７（Ｇ）のようなトンボの造形が得られ、図７（Ｃ）の形状の反射体からは図７（Ｈ）のような蜘蛛の造形が得られ、図７（Ｄ）の形状の反射体からは図７（Ｉ）のような桜花の造形が得られ、図７（Ｅ）の形状の反射体からは図７（Ｊ）のようなアラベスク文様の造形が得られた。
【産業上の利用可能性】
【００３１】
本考案によれば、指輪を装飾的な用途のみでデザインするのではなく、あたかも噴水のノズルの用途としてデザインしており、指輪のデザインにおける新たな視点を提供することになった。今後、ファッション性および機能性を同時に満たす指輪という市場が生まれることが期待される。
【符号の説明】
【００３２】
１０：リング体                ２０：反射体
２１：凹面版                  ２２：突起
２３：鋭角の角部              ３０：水流
３１：水膜                    ３２：直線状の水流
３３：水膜の分割部
【図１】
0003195892.tif 000003
【図２】
0003195892.tif 000004
【図３】
0003195892.tif 000005
【図４】
0003195892.tif 000006
【図５】
0003195892.tif 000007
【図６】
0003195892.tif 000008
【図７】
0003195892.tif 000009
【手続補正書】
【提出日】平成26年11月28日(2014.11.28)
【手続補正１】
【補正対象書類名】実用新案登録請求の範囲
【補正対象項目名】全文
【補正方法】変更
【補正の内容】
【実用新案登録請求の範囲】
【請求項１】
指に嵌めるためのリング体と、リング体に接続された反射体とを備え、反射体は流水を受けることにより前記流水を反射させて水膜に変え得る凹面板を有する、指輪。
【請求項２】
反射体が凹面板からの突起を有する請求項１記載の指輪。
【請求項３】
少なくとも一部の突起がプリズム状である請求項２記載の指輪。
【請求項４】
凹面板の縁部分に鋭角の角部が存在する請求項１〜３のいずれか１項に記載の指輪。